(57)【要約】      （修正有）【課題】スクリーンおよび収納枠内部を他の枠部材から開放されて自由に掃除ができるスクリーンの収納枠の脱着装置を提供する。【解決手段】スクリーン９が張られる枠組体Ｆは、スクリーン端の把手フレーム７が係合する上下枠２、３と、スクリーン９を巻き込む巻取軸装置１１が内装される縦枠としての収納枠１と、他方の縦枠４とから枠組みされており、上下枠２、３から連結片を抜くことにより、収納枠１にスクリーン９、スクリーン９の巻取軸装置１１、その巻取りばねの調整装置Ｐおよび把手フレーム７を付属させたまま、その収納枠１を取外しできるようにしてある。【選択図】図１
2008150941.tif 000002
【特許請求の範囲】
【請求項１】
スクリーンが張られる枠組体は、スクリーン端の把手フレームが係合する上下枠と、スクリーンを巻き込む巻取軸装置が内装される縦枠としての収納枠と、他方の縦枠とから枠組みされており、その巻取軸装置は、スクリーンを引き出すことにより巻取筒が中心軸に対してコイルばねの弾力に抗して回転し且つその弾力に伴う逆回転により巻き取るように構成され、収納枠の上端に前記中心軸の回転による巻取りばねの調整装置が装備されており、その収納枠の上端に基盤とそれに重なる基プレートとを固着することによりその間に前記巻取りばねの調整装置が装備され、その基盤と基プレートとのうちの少なくとも一方に上枠に挿入される連結片が突設され、また、収納枠の下端には下枠に挿入する連結片を有する連結ブロックが固着され、それに巻取軸装置を軸承してあって、上下枠から連結片を抜くことにより、収納枠にスクリーン、スクリーンの巻取軸装置、その巻取りばねの調整装置および把手フレームを付属させたまま、その収納枠を取外しできるようにしてあることを特徴とする枠組体におけるスクリーンの収納枠の脱着装置。
【請求項２】
収納枠の上端の巻取りばねの調整装置に対して巻取軸装置の中心軸がその上端の端末軸で解離可能にクラッチ接続され、その解離可能な手段として、巻取軸装置の上端に、端末軸に対してばねの弾力に抗して巻取筒を中心軸とともに持ち上げ得る上端昇降装置を設け、巻取軸装置の下端には、その持ち上げにより連結ブロックから引き抜くことができる下端軸を設けたことを特徴とする請求項１記載の枠組体におけるスクリーンの収納枠の脱着装置。
【請求項３】
上端昇降装置は、巻取筒の上端に嵌着される凹形の上端キャップと、その凹部に落とし込まれる可動接続片と、その落とし込みに抗するように上端キャップに内装されるコイルばねとから構成されることを特徴とする請求項２記載の枠組体におけるスクリーンの収納枠の脱着装置。
【発明の詳細な説明】
【技術分野】
【０００１】
この発明は、防虫網や映写幕、遮蔽幕などの網状ないし面状スクリーンが張られる枠組体におけるスクリーンの収納枠の脱着装置に関する。
【背景技術】
【０００２】
防虫網や映写幕、遮蔽幕は、一般的に軸に巻き取って仕舞われ、巻き戻して（引き出して）張ることにより使用される。その手段として、スクリーンを張る枠組体の一端に巻取軸の収納枠が枠組みの一枠として設けられ、スクリーンの引き出し側の端に把手フレームが取り付けられ、それが枠組体に移動可能に内装される。また、巻き取りが自動的になされるようにするとともに、把手フレームを引くことによりスクリーンを張りに保持する必要から、収納枠においては、スクリーンの巻取筒とそれが回転する中心軸との間に巻取りばねが介在される巻取軸装置が内装される。
【０００３】
防虫網は、把手フレームで巻取りばねの弾力に抗して引き出されるため、この際に巻取りばねに蓄積された弾力（弾性エネルギー）により回転する巻取筒に防虫網が巻き取られる。巻取りばねの効き方が弱いと巻取りが中途で止まったり、防虫網の閉じの状態に緩みが生じたりする不都合があり、また、巻取りばねの効き方が強すぎると、防虫網が完全に閉じられなかったり、巻き取られる引っ込みが危ういまでに急速になるため、巻取りばねの効き方を弱めたり強めたりする調整装置が収納枠の上端に設けられていた。
【発明の開示】
【発明が解決しようとする課題】
【０００４】
しかしながら、上記のような従来の網戸などのスクリーンの枠組体においては、スクリーンにゴミが付着することはもちろん、開閉を繰り返すうちに収納枠の中にスクリーンに付着したゴミが持ち込まれて蓄積するので、折りを見て収納枠の内部を掃除していたが、収納枠の中を掃除するには上下枠などの他の枠部材が妨げとなるために、スクリーンおよび収納枠内部を十分にきれいにすることはできなかった。
【０００５】
この発明は、上記のような実情に鑑みて、スクリーンおよび収納枠内部を他の枠部材から開放されて自由に掃除ができ、しかも、そのために部材を多用しない構造となる枠組体におけるスクリーンの収納枠の脱着装置を提供することを課題とした。
【課題を解決するための手段】
【０００６】
上記の課題を解決するために、この発明は、スクリーンが張られる枠組体は、スクリーン端の把手フレームが係合する上下枠と、スクリーンを巻き込む巻取軸装置が内装される縦枠としての収納枠と、他方の縦枠とから枠組みされており、その巻取軸装置は、スクリーンを引き出すことにより巻取筒が中心軸に対してコイルばねの弾力に抗して回転し且つその弾力に伴う逆回転により巻き取るように構成され、収納枠の上端に前記中心軸の回転による巻取りばねの調整装置が装備されており、その収納枠の上端に基盤とそれに重なる基プレートとを固着することによりその間に前記巻取りばねの調整装置が装備され、その基盤と基プレートとのうちの少なくとも一方に上枠に挿入される連結片が突設され、また、収納枠の下端には下枠に挿入する連結片を有する連結ブロックが固着され、それに巻取軸装置を軸承してあって、上下枠から連結片を抜くことにより、収納枠にスクリーン、スクリーンの巻取軸装置、その巻取りばねの調整装置および把手フレームを付属させたまま、その収納枠を取外しできるようにしてあることを特徴とする枠組体におけるスクリーンの収納枠の脱着装置を提供する。
【０００７】
枠組体におけるスクリーンの収納枠の脱着装置を上記のように構成したら、上枠や下枠に対して連結片を差し込み・引き抜くという操作により収納枠を着脱できるものであって、収納枠の上端においては別途に連結ブロックを要しなく、また、下端では巻取軸装置の軸承部材を下部連結ブロックが兼ねることになる。
【発明の効果】
【０００８】
以上説明したように、この発明によれば、枠組体から収納枠を組み外すだけで、スクリーン、スクリーンの巻取軸装置、その巻取りばねの調整装置および把手フレームが付属して外されるから、それらを枠組体の枠部材に妨げられることなく十分に掃除することができ、また、収納枠の内部ばかりかそれが外された枠組体の部材内部も掃除しやすく、しかも、このような構造を取るために部材を多用することもなく安価な提供が可能であるという優れた効果がある。
【０００９】
また、請求項２および３によれば、枠組体の枠組みのままで巻取軸装置を外すことができ、また、収納枠の取り外した状態で巻取軸装置とともにスクリーンおよび把手フレームを外すこともできるため、さらに掃除がしやすくなるという効果を併有し、殊に、請求項３によれば、簡単な構造であって、しかも、確実に巻取軸装置の取外し操作をなし得る。
【発明を実施するための最良の形態】
【００１０】
図面は、この発明を網戸ないし網窓に実施した形態を示したものであるが、映写幕や遮蔽幕などについても同様に実施することがきる。したがって、表現について、上下方向が左右方向である場合も含むものとする。
【００１１】
図１は、網窓のほゞ全体を示す一部切欠した正面図であって、その枠組体Ｆは、一端に縦枠として蓋５付きの収納枠１を有し、その上端に巻取りばねの調整装置Ｐが装備される。なお、収納枠１に上下枠２，３が連結され、他端に縦枠４を有する。また、防虫網９の端に把手フレーム７が取り付けられ、それが上下枠２，３の双方に移動可能に係合される。さらに、収納枠１には、防虫網９の巻取軸装置１１が内装され、それが上端では巻取りばねの調整装置Ｐに、下端では下部連結ブロック１５にそれぞれ軸支される。なお、上枠２と下枠３に対する収納枠１の連結は、巻取りばねの調整装置Ｐを構成する後記部材と、連結ブロック１５によりそれぞれなされている。
【００１２】
図２は、巻取軸装置１１の断面構造を示し、その上端が調整装置Ｐの中央歯車１７との接続状態で示される。つまり、中央歯車１７と一体に連結されていても良いが、この実施形態であると、巻取軸装置１１が脱着可能となっている。
【００１３】
巻取軸装置１１は、上下枠２，３の間の寸法よりもやゝ長い巻取筒１１ａと、中心軸１９と、巻取りばね２１と、上端昇降軸装置２３と、下部軸受け２５と、下端軸２９付きの下端キャップ３０などから構成される。そして、巻取りばね２１が、上端では中心軸１９にリベット３２で固定され、下端では下部軸受け２５に嵌着固定されている。したがって、防虫網９が引き出され（巻き戻され）ると、中心軸１９に対する巻取筒１１ａの回転により、巻取りばね２１に弾力が蓄積され、把手フレーム７を解放すると、その弾力が防虫網９を巻取筒１１ａに巻き取る回転方向に作用させる。したがって、把手フレーム７が磁石２７ａ，２７ｂの吸着で縦枠４に固定されていると、防虫網９が全面に緊張する。これに緩みがあると調整装置Ｐで修正する。
【００１４】
巻取りばね２１を効かすには、中心軸１９が巻取筒１１ａの回転に動じないよう少なくとも一方向に回転が阻止されている必要がある。調整装置Ｐは、下記するように、この中心軸１９の回転阻止およびその解除等に伴う巻取りばね２１の強弱の調整のために設けられる。
【００１５】
上端昇降軸装置２３は、中央歯車１７とでクラッチを構成するもので、巻取筒１１ａの上端に嵌着される凹形の上端キャップ３１と、その凹部に落とし込まれる可動接続片３３と、落とし込みに抗するように働くコイルばね３５とから構成され、可動接続片３３は、中心軸１９の上端に嵌着されそれにリベット３７で固定される。また、コイルばね３５は、上端キャップ３１の中において中心軸１９に挿入され、上端で可動接続片３３を中心軸１９と共に上方に付勢し得るように受けている。可動接続片３３は、上端面が噛合いクラッチ面３９に形成され、その中心には端末軸４１が突設され、端末軸４１の上端にドライバー溝４３が形成される。一方、調整装置Ｐの中央歯車１７の下面中心には下部軸３８を突設し、その下端に前記クラッチ面３９と噛み合うクラッチ面４０が形成される。
【００１６】
巻取軸装置１１を取り外すときには、まず、それを持ち上げる。そうすると、コイルばね３５の弾力に抗して可動接続片３３が上端キャップ３１に引っ込んでそれに応じるから、巻取軸装置１１の持ち上げにより下端軸２９を下部連結ブロック１５から引き抜くことができ、取り付けるときには丁度逆の操作となる。したがって、巻取軸装置１１の上下操作だけでその取付け取外し操作をなしうる。この場合、極簡単な片手操作となる。
【００１７】
巻取軸装置１１の上端の端末軸４１は、中央歯車１７の軸支孔４５に挿入されることにより、網窓Ｆの上面に露出しているので、ドライバーを付けることにより中央歯車１７と共に中心軸１９を回転することができ、後記するように、この操作で巻取りばね２１を強に調整することができる。なお、４７はワンウエイクラッチ、４８がロータリダンパであって、巻取りばね２１により巻取筒１１ａが巻きに回転する速度が制御される。
【００１８】
調整装置Ｐは、収納枠１の上端にそれぞれビス止めされるプラスチック製の基盤４９と、それを封じる金属製の基プレート５１との間に装備され、それぞれに連結片４９ａ，５１ａが突設されることにより、収納枠１が上枠２に連結される。なお、下部の連結片４９ａには、防虫網９が通るスリット５３が形成されている。図３は、基プレート５１を省いて基盤４９の内部に装備される調整装置Ｐの構造を示したもので、それが前記した中央歯車１７の他に、駆動用としての小径の副歯車５０、揺動レバー５６、コイルばねとしての圧縮ばね５２が装備される。同図では、分かりやすくするために、中央歯車１７の一部が切欠される。
【００１９】
基盤４９は、図４および図５に示すように、周囲にほゞ収納枠１の断面に近い周壁５５を突設するとともに、前面において周壁５５の半部（上枠２側）を開放し、その開放口５７の奥部には前方に開口する圧縮ばね５２の収納室６１が形成され、前面閉塞壁の内側部分に揺動レバー５６の回動軸６２が突設される。また、中央には中央歯車１７の軸支孔６３が、開放口５７近くには副歯車５０の軸支孔６４がそれぞれ形成される。６６は収納枠１に固定するビスの通し孔である。また、基プレート５１にも中央歯車１７の軸支孔６３ａと、副歯車５０の軸支孔６４ａとが形成される。６６ａは収納枠１にビス止めするための通し皿孔である。なお、基盤４９と基プレート５１とを上下逆にした構造をとることも可能である。
【００２０】
中央歯車１７は、大歯車１７ａの下にラチェット歯車１７ｂが形成された複合歯車であって（図２および図３）、下部軸３８に対応して上部軸６９を有し、中心に巻取軸装置１１を支持する軸支孔４５が形成され、下部軸３８の下面にクラッチ面４０が形成される。また、揺動レバー５６は、回動軸６２を中心に屈折する「く」の字形であって、先端にラチェット７１の迎え角側に係る爪７３が形成され、基端に開放口５７に露出する押しボタン７５が突設され、その後面を圧縮ばね５２が押しているので、押しボタン７５を押すと（図７）、先端の爪７３がラチェット７１から外れるために、中央歯車１７の停止が解除される。この時適度の位置で押しを解除すると、巻取りばね２１が適度に弱に調整される。
【００２１】
つまり、このときに巻取筒１１ａを固定しておけば、巻取りばね２１の弾力による中心軸１９の回転（消極回転）で巻取りばね２１に蓄積されている弾力が緩和されるので、適当な時点で押しボタン７５を放して中心軸１９の回転を止めると、これで巻取りばね２１が弱に調整される。また、ドライバーにより中央歯車１７を回転して、中心軸１９を巻取りばね２１の弾力に抗して回転（積極回転）すると、この場合、回転を止めた時点で揺動レバー５６の爪７３が中央歯車１７のラチェット７１に確実に掛かって中心軸１９が固定されるから、巻取りばね２１が強に調整される。また、副歯車５０の軸の上部軸７７にもドライバー溝７９が形成されているので、副歯車５０を回転すれば歯車の倍力機構で軽く中央歯車１７を回転することができる。
【００２２】
上記の網状ないし面状スクリーンの巻取りばねの調整装置Ｐにおいては、先に説明したように、枠組体Ｆから収納枠１を取り外すことができるように組み付けてある。そこで、収納枠１とともに、その上端の調整装置Ｐはもとより、巻取軸装置１１や防虫網９、把手フレーム７を同時に脱着できる（図８参照）。
【００２３】
図８は、上記実施形態とは少し異なる実施形態に係る窓枠において収納枠１の脱着装置を説明したもので、（ａ）が枠組体Ｆの組立て状態を、（ｂ）が収納枠１を取り外した状態をそれぞれ示している。つまり、（ａ）は使用状態を示したもので、枠組体Ｆは、収納枠１と対向する縦枠４と、上下枠２，３とからなり、収納枠１に巻取軸装置１１が内装され、上端にその調整装置Ｐが装備される基盤４９を有する（この場合は、基プレート５１が基盤４９の下であるが図示は省略する）。基盤４９には連結片４９ｂが突設され上枠２にビス止めされ、また、下端の連結ブロック１５の連結片１５ａは下枠３に挿入されこれもビス止めされている。なお、この実施形態の場合は、巻取軸装置１１が原則として取り外しできないようになっているものとする。
【００２４】
しかし、上下ビスを外して収納枠１を外すと、それに付随して巻取軸装置１１が内装のまま取り外され（ｂ）、同時に防虫網９や把手フレーム７も同時に取り外される。したがって、この状態で収納枠１の上端の調整装置Ｐを操作して、蓋５を外した状態で巻取りばね２１（図示省略）の効き方を調整することもできるし、収納枠１内を掃除することもできる。なお、連結片４９ｂの形状は様々となるが、この場合は、角筒形であって前記実施形態と同様に防虫網９が通るスリットが形成されている。
【図面の簡単な説明】
【００２５】
【図１】この発明に係る網窓を示す一部切欠した正面図である。
【図２】同網窓における巻取軸装置を巻取りばねの調整装置の中央歯車との接続状態で示す縦断面図である。
【図３】同網窓における調整装置を一部切欠して示す平面図である。
【図４】同調整装置の基盤を示す平面図である。
【図５】図５のＡ−Ａ線矢視の断面図である。
【図６】調整装置の上部プレートを示す平面図である。
【図７】調整装置の動作状態を示す一部断面した平面説明図である。
【図８】この発明の他の実施形態として、収納枠の組み付け状態（ａ）と、組み外し状態（ｂ）を示す説明図である。
【符号の説明】
【００２６】
Ｆ  枠組体
Ｐ  網状ないし面状スクリーンの巻取りばねの調整装置
１  収納枠
２  上枠
３  下枠
５  蓋
９  スクリーンとしての防虫網
１１  巻取軸装置
１１ａ  巻取筒
１５  連結ブロック
１５ａ  連結片
１７  中央歯車
１７ａ  大歯車
１７ｂ  ラチェット歯車
１９  中心軸
２１  巻取りばね
２３  上端昇降装置
２９  下端軸
３１  上端キャップ
３３  可動接続片
３５  コイルばね
４９  基盤
４９ａ，４９ｂ  連結片
５０  副歯車
５１  基プレート
５１ａ  連結片
５２  圧縮ばね
５５  周壁
５６  揺動レバー
５７  開放口
６１  収納室
７３  爪
７１  ラチェット
７５  押しボタン
【図１】
2008150941.tif 000003
【図２】
2008150941.tif 000004
【図３】
2008150941.tif 000005
【図４】
2008150941.tif 000006
【図５】
2008150941.tif 000007
【図６】
2008150941.tif 000008
【図７】
2008150941.tif 000009
【図８】
2008150941.tif 000010